(57)【要約】【課題】高台付き食器は、食器用かごに横置きにして乾燥する。高台の凹部に溜まり水が残り、乾燥時間内で蒸発することができないため、乾燥効率を低下させていた。本発明は、上記の問題に鑑み、溜まり水を無くするか少なくして乾燥効率を向上させる食器洗浄機を提供することを目的とする。【解決手段】本発明は、洗浄槽と、前記洗浄槽に内置され、食器類を含む被洗浄物を載置する食器用かごと、被洗浄物に向けて洗浄水を噴射する回転体ノズル体と、洗浄槽の内底側に設けられ、洗浄水を加熱や前記被洗浄物の乾燥を行うヒータとを有する食器洗浄機において、食器用かごをほぼ水平の状態ないし、傾けた状態にするかご傾斜回転作動手段を有することを特徴とする。【選択図】図４
2007089656.tif 000002
【特許請求の範囲】
【請求項１】
洗浄槽と、前記洗浄槽に内置され、食器類を含む被洗浄物を載置する食器用かごと、前記被洗浄物に向けて洗浄水を噴射する回転体ノズル体と、前記洗浄槽の内底側に設けられ、洗浄水を加熱や前記被洗浄物の乾燥を行うヒータとを有する食器洗浄機において、
食器用かごをほぼ水平の状態ないし、傾けた状態にするかご傾斜回転作動手段を有することを特徴とする食器洗浄機。
【請求項２】
洗浄槽と、前記洗浄槽に内置され、食器類を含む被洗浄物を載置する食器用かごと、前記被洗浄物に向けて洗浄水を噴射する回転体ノズル体と、前記洗浄槽の内底側に設けられ、洗浄水を加熱や前記被洗浄物の乾燥を行うヒータとを有し、
洗い工程、すすぎ工程、加熱すすぎ工程、乾燥工程の順に運転が推移する食器洗浄機において、
前記加熱すすぎ工程における回転体ノズル体からの洗浄水終了まで、前記食器用かごをほぼ水平の状態に保ち、前記洗浄水終了後に前記食器用かごを傾けた状態に保つことを特徴とする食器洗浄機。
【請求項３】
洗浄槽と、前記洗浄槽に内置され、飯茶碗、汁椀及び湯呑を含む高台食器を収める高台食器専用かごと、洗浄水を噴射する回転体ノズル体と、前記洗浄槽の内底側に設けられ、洗浄水を加熱や前記高台食器の乾燥を行うヒータとを有する食器洗浄機において、
高台食器専用かごをほぼ水平の状態にしたり、傾けた状態にしたりするかご傾斜回転作動手段を有することを特徴とする食器洗浄機。
【請求項４】
請求項３記載の食器洗浄機において、
前記高台食器専用かごは、両端側に食器かごガイドを有し、
前記洗浄槽の両内側面には、前記食器かごガイドが摺動自在に載せ、前記かご傾斜回転作動手段でほぼ水平の状態ないし、傾けた状態に動かされる可動ガイドレールを設けたことを特徴とする食器洗浄機。
【請求項５】
請求項４記載の食器洗浄機において、
前記可動ガイドレールの出し入れ側端部に対向する固定ガイドレールを設けたことを特徴とする食器洗浄機。
【請求項６】
請求項４または５記載の食器洗浄機において、
前記可動ガイドレール上を奥に向かって下る前記高台食器専用かごが止められるストッパーを前記可動ガイドレールの奥側に有することを特徴とする食器洗浄機。
【請求項７】
請求項３記載の食器洗浄機において、
前記かご傾斜回転作動手段は、シーソ作動自在に支持された可動ガイドレールに温度の変化によりシーソ作動を付与する形状記憶合金を含むことを特徴とする食器洗浄機。
【請求項８】
請求項３記載の食器洗浄機において、
前記かご傾斜回転作動手段は、シーソ作動自在に支持された可動ガイドレールの一方に設けたシーソ作動を付与するバネと、他方に設けた温度の変化によりシーソ作動を付与する形状記憶合金のバネとを含むことを特徴とする食器洗浄機。
【請求項９】
請求項７または８記載の食器洗浄機において、
前記可動ガイドレールの最大傾斜角度を規制する角度規制ストッパーを設けたことを特徴とする食器洗浄機。
【請求項１０】
請求項３記載の食器洗浄機において、
前記高台食器専用かごに載置される高台付き食器は、高台食器専用かごの傾斜回転作動に伴い高台付き食器の上口と下口が上向きないし下向きになる置き方で配置されることを特徴とする食器洗浄機。
【発明の詳細な説明】
【技術分野】
【０００１】
本発明は、食器乾燥時に飯茶碗、汁椀及び湯呑等を含む高台付き食器の高台内に溜まる洗浄水を排出し、乾燥効率を向上させた食器洗浄機に関するものである。
【背景技術】
【０００２】
食器かごを回転させる食器洗浄機は、例えば特許文献１（特開２０００−３１６７７４号公報）に記載されている。
【０００３】
【特許文献１】特開２０００−３１６７７４号公報
【発明の開示】
【発明が解決しようとする課題】
【０００４】
食器洗浄機において、乾燥効率が１００％にならない原因を食器の種類で調べたところ、飯茶碗、汁椀及び湯呑のように高台付き食器に生じやすいことが分かった。
【０００５】
高台付き食器は、食器用かごに横置きにして乾燥する。高台の凹部に溜まり水が残り、乾燥時間内で蒸発することができないため、乾燥効率を低下させていた。
【０００６】
本発明は、上記の問題に鑑み、溜まり水を無くするか少なくして乾燥効率を向上させる食器洗浄機を提供することを目的とする。
【課題を解決するための手段】
【０００７】
本発明は、洗浄槽と、前記洗浄槽に内置され、食器類を含む被洗浄物を載置する食器用かごと、被洗浄物に向けて洗浄水を噴射する回転体ノズル体と、洗浄槽の内底側に設けられ、洗浄水を加熱や前記被洗浄物の乾燥を行うヒータとを有する食器洗浄機において、食器用かごをほぼ水平の状態ないし、傾けた状態にするかご傾斜回転作動手段を有することを特徴とする。
【発明の効果】
【０００８】
本発明によれば、かご傾斜回転作動手段により食器用かごを傾けることができるので、飯茶碗、汁椀及び湯呑のよう高台付き食器でも、高台の凹部に溜まった洗浄水を排出できる。洗浄水が高台の凹部に残らないので、乾燥効率を著しく向上させることができる。
【発明を実施するための最良の形態】
【０００９】
図１に本発明の一実施例である食器洗浄機の正面図を示す。
【００１０】
食器洗浄機の本体枠体の前面には、ドア開閉用の押ボタン１が備わる。この押ボタン１１を押すことにより、ドアロックが解除され、取っ手２が付いた上扉３と下扉４がほぼ同時に開く。
【００１１】
また、本体枠体の前面下部には操作表示部５が設けられる。操作表示部５の電源スイッチ５をＯＮしてコースを選択後、スタートスイッチ６を押すことにより、食器洗浄機は運転を開始する。
【００１２】
図２は本発明の一実施例である食器洗浄機の縦断面図を示す。
【００１３】
洗浄槽８の下部には、洗浄槽内に貯留した洗浄水を吸込み加圧して吐出する洗浄ポンプ兼排水ポンプ９と加圧された洗浄水を食器用かごである上かご１０と下かご１１に向けて洗浄水を噴射する洗浄ノズルが具備されている。
【００１４】
上かご１０には飯茶碗、汁椀及び湯呑のように底に高台を有する食器が主に収納される。高台は凹部を有する。上かご１０は側面から見て左右に４５度傾斜回転できるよう側面の片側に駆動機構（かご傾斜回転作動手段）が備えられている。上かご１０は、前側から見ると、前後に傾斜回動が行なわれる。
【００１５】
固定ノズル１３（洗浄ノズル）は上かご１０の上側部、回転ノズル１２（洗浄ノズル）は下かご１１の下側に設けられる。洗浄ノズルは上／下かごの横側に設けることも可能である。また洗浄ノズルは設ける位置や個数は任意に選択できる。
【００１６】
本実施例では下かご１１の下部方向に２個の回転ノズル１２と上かご１０の上方には複数個の下向きの噴射口を有する固定ノズル１３が配置されている。
【００１７】
本実施例には、図示されていないが、水流切り替え装置により下側の回転ノズル１２と固定ノズル１３に独立して水流を切り替えることができる。洗浄ポンプ兼排水ポンプ９により加圧された洗浄水を洗浄ノズルする。洗浄ノズルより食器に噴射する洗浄水により食器に付着している汚れは洗浄される。洗浄水に含まれる残菜は、残菜フィルタ１４で濾されて捕集される。
【００１８】
濾された洗浄水は洗浄ポンプ兼排水ポンプ９により循環しながら、上かご１０と下かご１１に収納されている食器１５を洗浄する。残菜フィルタ１４の下部には洗浄水を加熱するための加熱用ヒータ１６がある。
【００１９】
洗浄、すすぎが終了すると食器１５を乾燥させるための送風を行う乾燥用ファン１７と乾燥用ファン１７から送風された風を加熱するための温風用ヒータ１８を作動させて食器１５を乾燥する。温風用ヒータの熱源にはＰＴＣを使用しており、ＰＴＣは過熱すると入力を小さく抑えて安全方向に働く。
【００２０】
洗浄槽内には洗浄水の水温検知を行うサーミスタ１９がついている。サーミスタ１９の固定は、直接洗浄槽内に突き出した構造としている。
【００２１】
従来は洗浄槽を成形するときに樹脂でサーミスタを一体成形していた。このため、温度の検知感度が熱伝導の悪い樹脂層により時間遅れが大きくなり検出誤差が大きくなる。サーミスタ１９を直接洗浄槽内に突き出した本実施例の構造としたので検出誤差が小さくなった。
【００２２】
なお、サーミスタは、耐食性の良いステンレスやセラミックなどで外郭を構成したものを用いている。
【００２３】
図３に食器洗浄機の工程図を示す。
【００２４】
まず、電源スイッチＯＮした後にコース設定し、スタートボタンを押すと、自動的に洗い工程、すすぎ（１）工程、すすぎ（２）工程、加熱すすぎ工程、乾燥工程の順に運転が推移して自動的に停止する。
【００２５】
洗い工程では洗浄水の温度を約６５℃程度まで上げている。常温の２０℃からでは約２５分程度時間を要する。また、加熱すすぎ工程では洗浄水の温度を約７５℃まで上げている。
【００２６】
乾燥工程ではＰＴＣヒータあるいはシーズヒータを加熱して送風を行い、熱風を洗浄槽内に循環させて排気している。加熱すすぎ工程の温度が高い程、食器類に蓄積される熱量が多いため乾燥工程時の時間は短縮される。
【００２７】
また、洗浄水が食器類に付着する量が少ないほど同じヒータ容量であれば乾燥時間を短くすることができる。加熱すすぎ工程が終了した状態では洗浄水が食器及び食器用かごに大量に付着している。
【００２８】
図４は本発明の他の実施例に係わるもので、食器用かごのガイドレールの部分図を示す。
【００２９】
ガイドレールは本実施例の場合、二つのガイドレールにより構成されている。
【００３０】
一つは洗浄槽内に固定されている固定ガイドレール４１で、反対方向にも同じものが備わる。他方は回転ガイドレール４２である。可動ガイドレール４２のほぼ中心部の凸部４３には、駆動機構（かご傾斜回転作動手段）のシャフト４４が取付けられている。
【００３１】
また、食器用かごを可動ガイドレール４２に装着するときのストッパー４５が付いている。
【００３２】
固定ガイドレール４１は、食器かごが出し入れされる可動ガイドレール４２の出し入れ側端部に対向するように設けられる。可動ガイドレール４２は、シャフト４４を支軸としてシーソ作動自在であるが、固定ガイドレール４１は固定したままで動かない。固定ガイドレール４１は洗浄槽８の両側面部に固定され、食器の入った食器かごの荷重を最初に受けるため強固に作られている。ストッパー４５は、固定ガイドレール４１の反対側になる洗浄槽の奥側に位置する。
【００３３】
図５は本発明の他の実施例に係わるもので、可動ガイドレールの駆動機構（かご傾斜回転作動手段）の部分断面を示す。
【００３４】
かご傾斜回転作動手段は、可動ガイドレール４２と、洗浄槽８の側壁に取り付けた樹脂製のスリーブ軸受５０と、減速機構を内蔵した駆動部５１（モータ）と、凸部４３に嵌るシャフト４４と、駆動部５１を支持する取付け板５２と、取付け板５２を洗浄槽８の側壁に取り付けるネジ５４とを有する。
【００３５】
駆動部５１のシャフト５５は樹脂製のスリーブ軸受５０を通して可動ガイドレール４２の凸部４３に嵌る。凸部４３に嵌ったシャフト５５が脱落しないようにネジ（図示せず）で固定されている。
【００３６】
スリーブ軸受５０は洗浄水と直接接触するため耐食性の良い樹脂製の軸受である。食器類の点数増加による荷重増加により、回転摩擦トルクが増加する場合はプラスチック玉軸受を使用とよい。回転摩擦による損失を低減し、駆動部が小型で耐水性の面でも優れている。
【００３７】
駆動部５１のモータ（図示せず）は、正逆転用のモータを使用する。モータの正逆転により、可動ガイドレール４２は水平位置に保たれたり、傾斜状態に保たれたりする。また、回転位置検出（図示せず）については駆動部側で行う。
【００３８】
図６は本発明の他の実施例に係わるもので、可動ガイドレールの他の駆動方式である部分図を示す。
【００３９】
可動ガイドレール４２は、シャフト以外の支持部材により、シーソ作動自在に支持されている。バネ６０は洗浄槽８に設けられたバネ固定ボス６１と可動ガイドレール４２の間に固定されている。このバネ６０により、可動ガイドレール４２は、反時計方向の回転力が付与される。
【００４０】
角度規制ストッパー６２は、可動ガイドレール４２が反時計方向に回転する最大傾斜角度を規制する。
【００４１】
反対側のバネ６３はバネ６０と同様に洗浄槽８に設けられたバネ固定ボス６４と可動ガイドレール４２の間に固定されている。バネ６３は耐水性、耐食性のある形状記憶合金を使用している。このバネ６３により、可動ガイドレール４２は、時計方向の回転力が付与される。
【００４２】
角度規制ストッパー６５は、可動ガイドレール４２が時計方向に回転する最大傾斜角度を規制する。
【００４３】
図７は本発明の他の実施例に係わるもので、高台食器専用かごの部分図を示す。
【００４４】
この高台食器専用かご７１は、鉄線を組み合わせたものに樹脂をコーテングして構成されている。両側には食器かごガイド７２が取付けられている。食器かごガイド７２の後端は可動ガイド４２のストッパー４５で位置決めされるのでほぼ直角となっている。前側端（手前側端）は引出し易いように傾斜角度を設けている。
【００４５】
この高台食器専用かご７１は、飯茶碗、汁椀及び湯呑のように底に高台を有する高台食器を専用に載せる専用かごである。
【００４６】
図８は、高台食器専用かご７１に高台食器の湯飲みを載置した形態を示している。
【００４７】
高台食器専用かご７１の傾斜回転軸線１００に対して高台食器の湯飲み７３は、湯飲み７３の長手方向が交差になるように置かれる。
【００４８】
言い換えると、前記高台食器専用かごに載置される高台食器は、高台食器専用かごの傾斜回転作動に伴い高台付食器の上口（飲み口側）と下口（高台側）が上向きないし下向きになる置き方で配置される。しかも、傾斜回転軸線１００に対して高台食器の湯飲み７３は、湯飲み７３の長手方向が直角になるように置かれる。
【００４９】
図９は横に寝かせるように置かれた湯呑に洗浄水が付着した状態を示す。
【００５０】
洗浄水は湯呑７３の高台の凹部９１と内部に付着する。底部の凹部９１に付着する洗浄水９０ａは水平位置では上部の部分はほとんど付着しないで下側の一部に溜まり、量も少ない。
【００５１】
これに対して内側に付着する洗浄水９０ｂは、かなりの量が流れずに内部に残留する。この状態で、湯呑７３を傾けて洗浄水９０ｂを流すには、傾斜角度θが１５度以上必要である。１５度以上傾けると洗浄水９０ａは湯呑の口から水滴９２として落下する。
【００５２】
なお、湯呑７３の凹部９１は、下口（高台側）である。湯呑７３の内部は高台付食器の上口（飲み口側）になる。
【００５３】
次に本発明の実施例を動作の面から説明する。
【００５４】
ここでは、高台に凹部を有する高台食器の洗浄乾燥を主に説明する。
【００５５】
高台食器の配置は、大別して２種類ある。
【００５６】
図２の方式では、かごの傾斜回転軸線１００に対して高台食器の湯飲み７３が直角ではなく少し斜に置かれている。このため、湯飲み７３の凹部に残る洗浄水を排出するためには回転角度を大きくする必要がある。但し食器を多く搭載できる。
【００５７】
図８の方式では、かごの傾斜回転軸線１００に対して高台食器の湯飲み７３が直角に置かれる。このため、少ない回転角度で湯飲み７３の凹部に残る洗浄水を排出できる。但し搭載できる食器数が少ない。
【００５８】
図４に示すようにガイドレールは、固定ガイドレール４１と可動ガイドレール４２を有する。この固定ガイドレール４１は、食器が搭載された重い高台食器専用かご７１を洗浄槽内に設置する際に役立つ。
【００５９】
高台食器専用かご７１の食器かごガイド７２を可動ガイドレール４２の出し入れ側端部に載せると、可動ガイドレール４２は下がるように回動し、高台食器専用かご７１を洗浄槽内に挿入できなくなる。
【００６０】
しかし、可動ガイドレール４２の出し入れ側に固定ガイドレール４１があるので、高台食器専用かご７１を洗浄槽内に入れる際に高台食器専用かご７１の食器かごガイド７２が固定ガイドレール４１に載る。可動ガイドレール４２は下がるように回動しないので、高台食器専用かご７１は洗浄槽内にスムーズに入れられる。
【００６１】
なお、可動ガイドレール部の強度及び回転保持トルクを充分大きく取れば固定ガイドレール４１は無くてもよい。但し、可動ガイドレールの駆動機構（かご傾斜回転作動手段）が大型になる不具合がある。
【００６２】
可動ガイドレール４２の奥側には食器用かごのストッパー４５が付いている。これにより、高台食器専用かごを洗浄槽内の奥側位置で止めることができる。
【００６３】
なお、食器用かごを安定して固定するには可動ガイドレールを奥側に向かって下がるように若干傾斜を持たせた方がよい。また、可動ガイドレールの回転中心を重心位置とすることにより回転トルクを低減できる。
【００６４】
高台食器専用かごを回転させるタイミングについて述べる。
【００６５】
前述したように可動ガイドレールをシーソ作動させることにより、高台食器専用かごが前後に傾き、高台食器に残る水が流し出すことができる。
【００６６】
図５に示すモータで駆動する方式では任意の時間で食器用かごを回転することができる。
【００６７】
水残水を少なくする可動ガイドレールの効果的な作動タイミングは、加熱すすぎが終了後、少し時間を置いてからするのがベストである。
【００６８】
すなわち、加熱すすぎが終了し、洗浄ノズルから洗浄水の噴射が終わってから直後だと洗浄室の天井に付着した洗浄水が落下して、再び洗浄水が高台食器の凹部９１に溜まる。天井からの落下水が止むまでの時間を待って可動ガイドレールの傾斜回動をするのが効果的である。
【００６９】
本実施例の場合、加熱すすぎが終了後の経過時間を約０．５〜１分とした。また、乾燥工程の初期段階で食器用かごを回動させることにより食器用かごに付着した洗浄水の水滴が回動時の振動で落下するので乾燥時間の短縮及び乾燥効率が向上する。
【００７０】
図２に示す食器の配置では、食器かごの傾斜回動角度が４５度程度を必要とする。これに対し、図８の示す食器の配置では、食器かごの傾斜回動角度が１５度程度で高台の凹部に残る洗浄水を排出できる。少ない傾斜回動角度で排水が行なわれるので、排水がし易い。また、少ない傾斜回動角度で足りるので、可動ガイドレールの駆動機構（かご傾斜回転作動手段）を小型化、構成の簡単化等により安価にできる。
【００７１】
図６に示す形状記憶合金のバネ６３を使用するものにあっては、温度により動作させるので動作タイミングは温度により決まる。加熱すすぎ工程の温度は７０〜８０℃で行うので、洗浄槽内は７０℃から熱風による送風により急激に低下し４３℃程度まで下がり乾燥終了後は５５℃以上となる。
【００７２】
これにより、５０℃以上で形状記憶合金のバネ６３が圧縮になるように遷移温度を設定している。また、バネ６０の引張り力は形状記憶合金のバネ６３の引張り力より遷移温度が低い状態では強くなるように設定されている。このため、遷移温度の５０℃以下では可動ガイドレール４２はストッパー６２の位置で固定され、ほぼ水平状態に置かれる。
【００７３】
また、遷移温度を超えた状態では可動ガイドレール４２は形状記憶合金のバネ６３が収縮してストッパー６５の位置で固定される。このため、加熱すすぎ工程の直後は、可動ガイドレール４２はストッパー６５側に位置し、熱風の送風による温度の低下とともにストッパー６２に位置し、再度乾燥温度の上昇によりストッパー６５側に位置する。なお、回転角度についてはストロークを大きく取れないため１０〜３０度としている。
【００７４】
本実施例によれば、高台食器を載置する食器用かごを傾斜回動させることにより、高台の凹部に溜まった洗浄水を排出または低減することができる。このため従来乾燥できなかったこれらの食器をよく乾燥させることができ、著しく乾燥効率を向上させることができる。
【図面の簡単な説明】
【００７５】
【図１】本発明の実施例に係わるもので、食器洗浄機の正面図を示す。
【図２】本発明の実施例に係わるもので、食器洗浄機の縦断面図を示す。
【図３】本発明の実施例に係わるもので、食器洗浄機の工程を示す。
【図４】本発明の他の実施例に係わるもので、食器用かごのガイドレールの部分図を示す。
【図５】本発明の他の実施例に係わるもので、可動ガイドレールの駆動部の部分断面を示す。
【図６】本発明の他の実施例に係わるもので、可動ガイドレールの他の駆動方式である部分図を示す。
【図７】本発明の他の実施例に係わるもので、高台食器専用かごの部分図を示す。
【図８】本発明の他の実施例に係わるもので、高台食器が配置された状態を示す。
【図９】本発明の実施例に係わるもので、水平に配置された高台食器に洗浄水が付着した状態と傾斜させたときの流出状態を示す。
【符号の説明】
【００７６】
１…押ボタン、２…取っ手、３…上扉、４…下扉、５…操作表示部、６…スタートボタン、８…洗浄槽、９…洗浄ポンプ兼排水ポンプ、１０…上かご、１１…下かご、１２…回転ノズル、１３…固定ノズル、１４…残菜フィルタ、１５…食器、１６…加熱用ヒータ、１７…乾燥用ファン、１８…温風用ヒータ、１９…サーミスタ、４１…固定ガイドレール、４２…可動ガイドレール、４３…凸部、４４…シャフト、４５…ストッパー、５０…スリーブ軸受、５１…駆動部、５２…取付け板、５４…ネジ、５５…シャフト、６０、６３…バネ、６１…バネ固定ボス、６５…ストッパー、７１…高台食器専用かご、７２…食器かごガイド、７３…湯呑（高台食器）、９０ａ，９０ｂ…洗浄水、９２…水滴。
【図１】
2007089656.tif 000003
【図２】
2007089656.tif 000004
【図３】
2007089656.tif 000005
【図４】
2007089656.tif 000006
【図５】
2007089656.tif 000007
【図６】
2007089656.tif 000008
【図７】
2007089656.tif 000009
【図８】
2007089656.tif 000010
【図９】
2007089656.tif 000011